(57)【特許請求の範囲】
【請求項１】
原子炉格納容器（１）から搬出すべき原子炉圧力容器（４）の内部に遮蔽用水（２４）を注入して当該圧力容器本体（１３）の下部にのみ遮蔽用水（２４）が貯まった状態とし、原子炉格納容器（１）の内部で圧力容器本体（１３）の外周を包囲している原子炉遮蔽壁（６）の上部に圧力容器本体（１３）上部の外周部分を覆い得る外面上部遮蔽材（２５）を載せ、原子炉圧力容器（４）を引き上げてその外周に外面上部遮蔽材（２５）を取り付け、原子炉圧力容器（４）及び外面上部遮蔽材（２５）を一体的に原子炉格納容器（１）の外部へ搬出し、原子炉格納容器（１）の外部へ搬出した原子炉圧力容器（４）を輸送スキッド（２８）に載置して支持する時に、輸送スキッド（２８）の上部に取付けた外面下部遮蔽材（２９）で、圧力容器本体（１３）下部を覆うようにすることを特徴とする原子炉圧力容器搬出方法。
【発明の詳細な説明】
【０００１】
【発明の属する技術分野】
本発明は、原子炉圧力容器搬出方法に関するものである。より詳しくは、短時間のうちに施設に影響を与えることなく原子炉圧力容器を交換し得るようにした原子炉圧力容器搬出方法に関するものである。
【０００２】
【従来の技術】
原子力発電施設は、予め耐用年数を決めて設計されており、所定の耐用年数が経過すると、施設は破棄されることになる。
【０００３】
しかし、原子力発電施設は、実際には、決められた耐用年数に対して十分な余裕を持っているので、寿命の尽きた部品のみを交換することにより、原子力発電施設の延命を図ることが可能である。
【０００４】
そのため、寿命の尽きた部品を交換する技術を確立する必要があるが、この場合の交換すべき部品の代表的なものとしては、原子炉圧力容器などが挙げられる。
【０００５】
しかるに、現在のところ、原子炉圧力容器を交換した実例はまだ存在せず、交換技術は確立されていない。
【０００６】
【発明が解決しようとする課題】
寿命の尽きた原子炉圧力容器を原子力発電施設から搬出する場合、放射化した原子炉圧力容器をいかに遮蔽し、いかに短時間に、施設に影響を与えずに外部へ搬出するかが重要になる。
【０００７】
本発明は、上述の実情に鑑み、短時間のうちに施設に影響を与えることなく原子炉圧力容器を交換し得るようにした原子炉圧力容器搬出方法を提供することを目的とするものである。
【０００８】
【課題を解決するための手段】
本発明は、原子炉格納容器１から搬出すべき原子炉圧力容器４の内部に遮蔽用水２４を注入して当該圧力容器本体１３の下部にのみ遮蔽用水２４が貯まった状態とし、原子炉格納容器１の内部で圧力容器本体１３の外周を包囲している原子炉遮蔽壁６の上部に圧力容器本体１３上部の外周部分を覆い得る外面上部遮蔽材２５を載せ、原子炉圧力容器４を引き上げてその外周に外面上部遮蔽材２５を取り付け、原子炉圧力容器４及び外面上部遮蔽材２５を一体的に原子炉格納容器１の外部へ搬出することを特徴とする原子炉圧力容器搬出方法にかかるものである。
【０００９】
この場合において、原子炉格納容器１の外部へ搬出した圧力容器本体１３を輸送スキッド２８に載置して支持する時に、輸送スキッド２８の上部に取付けた外面下部遮蔽材２９で、圧力容器本体１３下部を覆うようにしても良い。
【００１０】
本発明によれば、以下の作用が得られる。
【００１１】
原子炉格納容器１から原子炉圧力容器４を取り出す場合、圧力容器本体１３の内部に遮蔽用水２４を注入し、圧力容器本体１３の下部に遮蔽用水２４が貯まった状態とする。
【００１２】
こうして準備ができたら、原子炉圧力容器４を有る程度引き上げ、原子炉圧力容器４の外周に外面上部遮蔽材２５を取付ける。
【００１３】
この際、原子炉圧力容器４下部にまで外面上部遮蔽材２５を取付けるようにすると、作業に時間が掛ってしまうため、圧力容器本体１３の下部は遮蔽用水２４で遮蔽させるようにしている。従って、遮蔽用水２４は、外面上部遮蔽材２５の下端よりも上のレベルまで入れるようにする。
【００１４】
原子炉圧力容器４に外面上部遮蔽材２５が取付けられたら、原子炉圧力容器４の引き上げを再開し、圧力容器本体１３を外部へ搬出して、輸送スキッド２８の上部に載せる。
【００１５】
すると、輸送スキッド２８の上部には外面下部遮蔽材２９が取付けられているので、原子炉圧力容器４下部の遮蔽用水２４で遮蔽されていた部分が外面下部遮蔽材２９で遮蔽されることとなる。
【００１６】
こうして、原子炉圧力容器４全体が遮蔽されたら、原子炉圧力容器４を横倒しにして処分施設へ搬送する。
【００１７】
このように、圧力容器本体１３の下部に遮蔽用水２４を注入して、外面上部遮蔽材２５で覆われていない部分を遮蔽用水２４で遮蔽させるようにしているので、簡単に圧力容器本体１３に外面上部遮蔽材２５を取付けて、確実に遮蔽を行わせることができる。
【００１８】
又、圧力容器本体１３下部にのみ、遮蔽用水２４を注入するようにしているので、遮蔽用水２４が少なくて済み、吊上げ重量を軽減させることが可能となる。
【００１９】
以上により、短時間のうちに施設に影響を与えることなく原子炉圧力容器４を交換することが可能となる。
【００２０】
【発明の実施の形態】
以下、本発明の実施の形態を、図示例と共に説明する。
【００２１】
図１〜図４は、本発明の実施の形態の一例である。
【００２２】
図中、１は原子炉格納容器、４は原子炉格納容器１内部に収容される原子炉圧力容器、５は原子炉格納容器１の底部に設けられた、原子炉圧力容器４の下部を支持するためのペデスタル、６はペデスタル５に下部を支持されて、原子炉圧力容器４の外周を包囲するよう設けられた原子炉遮蔽壁、７は原子炉遮蔽壁６の上部に周方向複数箇所形成された上部ノズル開口部、８は原子炉遮蔽壁６の下部に周方向複数箇所形成された下部ノズル開口部、９は原子炉圧力容器４の上部を図示しないベローズを介して原子炉格納容器１に接続するためのバルクヘッド部である。
【００２３】
そして、上記原子炉圧力容器４は、下部に制御棒を出し入れするためのＣＲＤハウジング１０を有し、前記上部ノズル開口部７や下部ノズル開口部８に対応する側部にそれぞれ上部ノズル１１や下部ノズル１２を有する圧力容器本体１３と、複数のノズル１４を有する蓋体１５と、圧力容器本体１３と蓋体１５とを締結するスタットボルト１６とで構成されている。
【００２４】
又、圧力容器本体１３内の下部には、シュラウド１７と呼ばれる筒状体が取り付けられており、シュラウド１７の上部に取り付けられた上部格子板１８と中間部に取り付けられた炉心支持板１９との間に炉心域２０が形成されている。
【００２５】
尚、図中、２１，２２は上部ノズル開口部７や下部ノズル開口部８をそれぞれ閉止するための開口閉止板、２３は圧力容器本体１３と原子炉遮蔽壁６上部とを固定する固定ボルト、図２中、２４は圧力容器本体１３内部に注入される遮蔽用水、２５は圧力容器本体１３上部の外周部分を覆うように取付けられる外面上部遮蔽材、２６はシュラウド１７の上面に取付けられる内面遮蔽材、２７は蓋体１５部分に取り付けて図示しないクレーンで圧力容器本体１３を吊り上げるための吊部材、図４中、２８は外部へ搬出した圧力容器本体１３を載置して支持するための輸送スキッド、２９は輸送スキッド２８の上部に取付けられた、圧力容器本体１３下部の外周部分を覆うための外面下部遮蔽材である。
【００２６】
次に、作動について説明する。
【００２７】
原子炉格納容器１から原子炉圧力容器４を取り出す場合、原子炉圧力容器４に取り付けられた上部ノズル１１や下部ノズル１２やＣＲＤハウジング１０と、外部の機器類との縁を切り、上部ノズル１１と下部ノズル１２は、原子炉遮蔽壁６と緩衝する部分を切断する。
【００２８】
そして、切断された上部ノズル１１や下部ノズル１２やＣＲＤハウジング１０の開口部を閉止し、上部ノズル開口部７や下部ノズル開口部８を、必要に応じて、それぞれ開口閉止板２１，２２で閉止する。
【００２９】
上記作業と並行させて、原子炉圧力容器４からスタットボルト１６を外して蓋体１５を開け、圧力容器本体１３の内部を分解して、原子炉圧力容器４と同時に撤去する部品以外の部品類を撤去し、シュラウド１７の上面に内面遮蔽材２６を取付ける。
【００３０】
こうしてシュラウド１７の上面に内面遮蔽材２６が取付けられたら、再び圧力容器本体１３に蓋体１５を取り付け、更に、蓋体１５部分に吊部材２７を取り付けて、蓋体１５に形成したノズル１４から、圧力容器本体１３の内部に遮蔽用水２４を注入し、圧力容器本体１３の下部に遮蔽用水２４が貯まった状態とする。
【００３１】
こうして準備ができたら、圧力容器本体１３と原子炉遮蔽壁６上部とを固定する固定ボルト２３を外し、原子炉遮蔽壁６上部に、周方向に対し複数に分割した状態の外面上部遮蔽材２５を載せて、図２に示すように、図示しないクレーンなどを用いて、吊部材２７を介して原子炉圧力容器４を引き上げる。
【００３２】
そして、原子炉圧力容器４が原子炉遮蔽壁６まで上がったら、一旦、原子炉圧力容器４の引き上げを止め、原子炉圧力容器４の外周に外面上部遮蔽材２５を取付ける。
【００３３】
この際、原子炉圧力容器４下部のＣＲＤハウジング１０及びその近傍にまで外面上部遮蔽材２５を取付けるようにするには、原子炉圧力容器４下部の形状が複雑であるとか、遮蔽材が重量物であるにも拘らず下部用の遮蔽材は原子炉遮蔽壁６の上に支持させられない、などの問題があって、作業に時間が掛ってしまうため、圧力容器本体１３の下部は遮蔽用水２４で遮蔽させるようにしている。従って、遮蔽用水２４は、外面上部遮蔽材２５の下端よりも上のレベルまで入れるようにする。
【００３４】
原子炉圧力容器４に外面上部遮蔽材２５が取付けられたら、図３に示すように、図示しないクレーンで原子炉圧力容器４を引き上げ、圧力容器本体１３を外部へ搬出し、図４に示すように、輸送スキッド２８の上部に載せる。
【００３５】
すると、輸送スキッド２８の上部には外面下部遮蔽材２９が取付けられているので、原子炉圧力容器４下部の遮蔽用水２４で遮蔽されていた部分が外面下部遮蔽材２９で遮蔽されることとなる。
【００３６】
こうして、原子炉圧力容器４全体が遮蔽されたら、原子炉圧力容器４を横倒しにして処分施設へ搬送する。
【００３７】
このように、本実施の形態によれば、圧力容器本体１３の下部に遮蔽用水２４を注入して、外面上部遮蔽材２５で覆われていない部分を遮蔽用水２４で遮蔽させるようにしているので、簡単に圧力容器本体１３に外面上部遮蔽材２５を取付けて、確実に遮蔽を行わせることができる。
【００３８】
又、圧力容器本体１３下部にのみ、遮蔽用水２４を注入するようにしているので、遮蔽用水２４が少なくて済み、吊上げ重量を軽減させることが可能となる。
【００３９】
以上により、短時間のうちに施設に影響を与えることなく原子炉圧力容器４を交換することが可能となる。
【００４０】
尚、本発明は、上述の実施の形態にのみ限定されるものではなく、本発明の要旨を逸脱しない範囲内において種々変更を加え得ることは勿論である。
【００４１】
【発明の効果】
以上説明したように、本発明の原子炉圧力容器搬出方法によれば、短時間のうちに施設に影響を与えることなく原子炉圧力容器を交換することができるという優れた効果を奏し得る。
【図面の簡単な説明】
【図１】本発明の実施の形態の一例の全体概略側方断面図である。
【図２】図１に続く作動図である。
【図３】図２に続く作動図である。
【図４】図３に続く作動図である。
【符号の説明】
４    原子炉圧力容器
２４  遮蔽用水
２５  外面上部遮蔽材
２８  輸送スキッド
２９  外面下部遮蔽材
【図１】
0003654716.tif 000002
【図２】
0003654716.tif 000003
【図３】
0003654716.tif 000004
【図４】
0003654716.tif 000005